(57)【要約】  無段変速機の変速比とスロットル開度とを電子制御する車両の制御装置において、快適な乗車感を得ることができ且つ運転者の運転意図に適合したエンジン回転速度を実現する。  記憶装置には、第１の運転モードでのエンジン回転速度を規定する第１のマップと、第２の運転モードでのエンジン回転速度を規定する第２のマップとが格納されている。制御装置は、運転者の運転意図を表す数値である運転意図値を取得する。制御装置は、第１のマップから算出される第１のエンジン回転速度と第２のマップから算出される第２のエンジン回転速度との間で、運転意図値に応じた基準目標エンジン回転速度を算出し、当該基準目標エンジン回転速度から目標エンジン回転速度を算出する。制御装置は、目標エンジン回転速度から目標変速比を算出する。制御装置は目標エンジン回転速度に基づいて車両の駆動力に関する目標値を算出し、その目標値に対応する駆動力が得られるように目標スロットル開度を算出する。
2014142210.tif 000002
【特許請求の範囲】
【請求項１】
無段変速機の変速比とスロットル開度とをアクチュエータを利用して電子制御する車両の制御装置であって、
車両の第１の運転モードでのエンジン回転速度を規定する第１の基礎情報と、車両の第２の運転モードでのエンジン回転速度を規定する第２の基礎情報とが予め格納された記憶装置と、
前記第１の基礎情報から得られるエンジン回転速度を第１のエンジン回転速度として算出する第1の基礎エンジン回転速度算出部と、
前記第２の基礎情報から得られるエンジン回転速度を第２のエンジン回転速度として算出する第２の基礎エンジン回転速度算出部と、
運転者の運転意図を表す数値である運転意図値を取得する運転意図取得部と、
前記第１のエンジン回転速度と前記第２のエンジン回転速度との間で算出され且つ前記運転意図値に応じたエンジン回転速度に基づいて、目標エンジン回転速度を算出する目標エンジン回転速度算出部と、
前記目標エンジン回転速度に基づいて前記無段変速機の目標変速比を算出する目標変速比算出部と、
センサーによって検知されたアクセル操作量と前記目標エンジン回転速度とに基づいて、車両の駆動力に関する目標値を算出する目標駆動力算出部と、
前記目標値に対応する駆動力が得られるように前記目標値と前記目標エンジン回転速度とに基づいて目標スロットル開度を算出する目標スロットル開度算出部と、
を備えることを特徴とする制御装置。
【請求項２】
請求項１に記載の制御装置において、
前記運転意図取得部は、車両の運転状態に基づいて前記運転意図値を算出する、
ことを特徴とする制御装置。
【請求項３】
請求項１又は２に記載の制御装置において、
前記目標エンジン回転速度算出部は、前記運転意図値に応じた前記エンジン回転速度を補正し、その補正後のエンジン回転速度を前記目標エンジン回転速度として算出する、
ことを特徴とする制御装置。
【請求項４】
請求項１に記載の制御装置において、
前記第１の基礎情報はアクセル操作量と第１の運転モードにおけるエンジン回転速度とを対応付けており、
前記第２の基礎情報はアクセル操作量と第２の運転モードにおけるエンジン回転速度とを対応付けており、
前記第１の基礎エンジン回転速度算出部は前記第１の基礎情報を参照し、前記センサーによって検知したアクセル操作量に基づいて前記第１のエンジン回転速度を算出し、
前記第２の基礎エンジン回転速度算出部は前記第２の基礎情報を参照し、前記センサーによって検知したアクセル操作量から前記第２のエンジン回転速度を算出する、
ことを特徴とする制御装置。
【請求項５】
請求項１乃至４のいずれかに記載の制御装置において、
前記運転意図取得部は、車両が予め定める走行状況にある場合に、前記運転意図値の変化を制限する、
ことを特徴とする制御装置。
【請求項６】
請求項５に記載の制御装置において、
前記予め定める走行状況は運転者による加速要求が増すと推定される走行状況であり、
前記運転意図取得部は、運転者による加速要求が増すと推定される走行状況では、前記運転意図値に応じた前記エンジン回転速度が下がる方向への変化が抑えられるように前記運転意図値の変化を制限する、
ことを特徴とする制御装置。
【請求項７】
請求項５又は６に記載の制御装置において、
前記予め定める走行状況は、車両がカーブを走行している場合、ブレーキ装置が作動している場合、又は車両が登坂を走行している場合である、
ことを特徴とする制御装置。
【請求項８】
請求項１乃至７のいずれかに記載の制御装置を備える自動二輪車。
【発明の詳細な説明】
【技術分野】
【０００１】
本発明は、エンジンに供給する空気量を調整するスロットルバルブの開度と、無段変速機の変速機の双方を電子制御する車両の制御装置に関する。
【背景技術】
【０００２】
従来、無段変速機の変速比とスロットルバルブの開度（以下、スロットル開度）とをアクチュエータを利用して電子制御する車両の制御装置がある（例えば、特許第３７５４１８８号公報）。従来の制御では、まず運転者によるアクセル操作の量（アクセル操作量）と車速とに基づいて要求駆動力が算出される。そして、この要求駆動力が得られるように、目標エンジン回転速度とスロットル開度とが算出される。
【発明の概要】
【発明が解決しようとする課題】
【０００３】
自動二輪車では、四輪の自動車に比して乗車感に対するエンジン回転速度の影響が大きいので、エンジン回転速度を快適な乗車感を実現する速度に設定したいとする要望が強い。ところが、従来の制御では、まず要求駆動力が算出され、その後に、その要求駆動力が得られるように目標エンジン回転速度が算出される。このような従来の制御では、目標エンジン回転速度が要求駆動力の影響を受けるので、快適な乗車感が得られるようにエンジン回転速度を制御することが難しい場合がある。【０００４】
本発明の目的の一つは、無段変速機の変速比とスロットル開度とを電子制御する車両の制御装置において、快適な乗車感を得ることができ且つ運転者の運転意図に適合したエンジン回転速度を実現できる制御装置及びそれを備える自動二輪車を提供することにある。
【課題を解決するための手段】
【０００５】
本発明に係る制御装置は、無段変速機の変速比とスロットル開度とをアクチュエータを利用して電子制御する。前記制御装置は、車両の第１の運転モードでのエンジン回転速度を規定する第１の基礎情報と、車両の第２の運転モードでのエンジン回転速度を規定する第２の基礎情報とが予め格納された記憶装置と、前記第１の基礎情報から得られるエンジン回転速度を第１のエンジン回転速度として算出する第1の基礎エンジン回転速度算出部と、前記第２の基礎情報から得られるエンジン回転速度を第２のエンジン回転速度として算出する第２の基礎エンジン回転速度算出部と、運転者の運転意図を表す数値である運転意図値を取得する運転意図取得部と、前記第１のエンジン回転速度と前記第２のエンジン回転速度との間で算出され且つ前記運転意図値に応じたエンジン回転速度に基づいて、目標エンジン回転速度を算出する目標エンジン回転速度算出部と、前記目標エンジン回転速度に基づいて前記無段変速機の目標変速比を算出する目標変速比算出部と、センサーによって検知されたアクセル操作量と前記目標エンジン回転速度とに基づいて、車両の駆動力に関する目標値を算出する目標駆動力算出部と、前記目標値に対応する駆動力が得られるように前記目標値と前記目標エンジン回転速度とに基づいて目標スロットル開度を算出する目標スロットル開度算出部と、を備える。また、本発明に係る自動二輪車は上記制御装置を備える。【０００６】
本発明によれば、従来の制御とは反対に、最初に目標エンジン回転速度が算出され、その後に駆動力に関する目標値が算出される。そのため、車両の駆動力に関する目標値が目標エンジン回転速度の設定に影響することを抑えることができる。その結果、快適な乗車感を得ることができるようにエンジン回転速度を制御することが容易となる。また、目標エンジン回転速度の算出に運転意図値を利用するので、運転者の運転意図に適合したエンジン回転速度を実現できる。例えば、第２の基礎情報で規定されるエンジン回転速度は、第１の基礎情報で規定されるエンジン回転速度よりも良好な加速応答性を実現できる回転速度である。このような例において、運転者が加速応答性の良い走行を望んでいる場合には、目標エンジン回転速度を第２の基礎情報から得られる第２のエンジン回転速度に近い回転速度に設定することが可能となる。なお、目標エンジン回転速度は、運転意図値に応じたエンジン回転速度と同じでもよいし、運転意図値に応じたエンジン回転速度の補正により得られるエンジン回転速度でもよい。なお、車両の駆動力に関する目標値とは、例えば、駆動輪のトルクや駆動輪の出力についての目標値である。また、車両の駆動力に関する目標値は、エンジントルクについての目標値や、エンジン出力についての目標値、車両の加速度についての目標値などでもよい（車両の加速度と車重との積は車両の駆動力となる）。【０００７】
前記運転意図取得部は、車両の運転状態に基づいて前記運転意図値を算出してもよい。これによれば、運転者の操作によることなく運転意図値を取得できる。【０００８】
前記目標エンジン回転速度部は、前記運転意図値に応じた前記エンジン回転速度を補正し、その補正後のエンジン回転速度を目標エンジン回転速度として算出してもよい。これによれば、例えば補正により目標エンジン回転速度を下げることにより、燃費の良い走行を実現できる。【０００９】
前記第１の基礎情報はアクセル操作量と第１の運転モードにおけるエンジン回転速度とを対応付け、前記第２の基礎情報はアクセル操作量と第２の運転モードにおけるエンジン回転速度とを対応付けてもよい。この場合、前記第１の基礎エンジン回転速度算出部は前記第１の基礎情報を参照し、前記センサーによって検知したアクセル操作量に基づいて前記第１のエンジン回転速度を算出してもよい。また、前記第２の基礎エンジン回転速度算出部は前記第２の基礎情報を参照し、前記センサーによって検知したアクセル操作量から前記第２のエンジン回転速度を算出してもよい。【００１０】
前記運転意図取得部は、車両が予め定める走行状況にある場合に、前記運転意図値の変化を制限してもよい。ここで、前記予め定める走行状況は、運転者による加速要求が増すと推定される走行状況であり、前記運転意図取得部は、運転者による加速要求が増すと推定される走行状況では、前記運転意図値に応じた前記エンジン回転速度が下がる方向への変化が抑えられるように運転意図値の変化を制限してもよい。これによれば、加速要求が増すと推定される走行状況では、運転意図値が変化することにより加速応答性が低下することを抑えることができる。前記予め定める走行状況は、例えば、車両がカーブを走行している場合、ブレーキ装置が作動している場合、又は車両が登坂を走行している場合である。
【図面の簡単な説明】
【００１１】
【図１】本発明の一実施形態に係る制御装置を備える自動二輪車の側面図である。
【図２】自動二輪車の構成を示すブロック図である。
【図３】制御装置の処理を示すブロック図である。
【図４】基準目標エンジン回転速度算出部の処理を示すブロック図である。
【図５】エンジン回転速度マップの例を示す図である。（ａ）は第１エンジン回転速度マップ（第1の基礎情報）の例であり、（ｂ）は第２エンジン回転速度マップ（第２の基礎情報）の例である。
【図６】基準目標エンジン回転速度算出部の演算部の処理の例を説明するための図である。
【図７】運転意図値の算出に利用されるマップの例を示す図である。
【図８】制御装置が実行する制御の概要を説明するための図である。
【発明を実施するための形態】
【００１２】
以下、本発明の一実施形態について図面を参照しながら説明する。図１は本発明の実施形態に係る制御装置１０を備える自動二輪車１の側面図である。図２は自動二輪車１の構成を示すブロック図である。
【００１３】
図１に示すように、自動二輪車１は前輪２と後輪８とを有している。前輪２には前輪２の回転速度に応じた信号を出力する前輪回転速度センサ２８（図２参照）が設けられ、後輪８には後輪８の回転速度に応じた信号を出力する後輪回転速度センサ２７（図２参照）が設けられている。制御装置１０は、前輪回転速度センサ２８又は後輪回転速度センサ２７の出力に基づいて車速を算出する。自動二輪車１は前輪２を操舵するためのステアリング３を有している。ステアリング３の左右にはグリップ３ａが設けられている。一方のグリップ３ａはアクセルグリップとして機能し、アクセルグリップにはその操作量（アクセル操作量）を検知するためのアクセルセンサ２４（図２参照）が設けられている。前輪２と後輪８とにはこれらを制動するためのブレーキ装置が設けられ、ステアリング３にはブレーキ装置を作動させるためのブレーキレバー３ｂが設けられている。ブレーキレバー３ｂにはその操作を検知するためのブレーキスイッチ２９（図２参照）が設けられている。
【００１４】
図２に示すように、自動二輪車１は、エンジン４から駆動輪である後輪８に至るトルク伝達経路に、無段変速機（以下、ＣＶＴ）５と、クラッチ６と、最終減速機構７とを有している。この例では、エンジン４の下流にＣＶＴ５が配置され、ＣＶＴ５の下流にクラッチ６が配置されている。また、クラッチ６と後輪８との間に最終減速機構７が配置されている。クラッチ６は遠心クラッチなどの自動クラッチである。
【００１５】
エンジン４は、シリンダや、シリンダ内に配置されるピストン、ピストンに連結されるクランクシャフトなどを有している。自動二輪車１はエンジン回転速度を検知するためのエンジン回転速度センサ２１を有している。また、エンジン４は、その燃焼室に繋がる吸気通路に、エンジン４に供給する空気量を制御するスロットルバルブ及びエンジン４に燃料を供給するインジェクタを有している。自動二輪車１は、スロットルバルブの開度（以下スロットル開度）を検知するためのスロットル開度センサ２２、及び、スロットルバルブを制御するスロットルアクチュエータ２３を有している。
【００１６】
ＣＶＴ５は、クランクシャフトに連動する入力軸と、入力軸上に配置される駆動プーリと、出力軸と、出力軸上に配置される被駆動プーリと、駆動プーリと被駆動プーリとに掛け渡され、駆動プーリの回転（トルク）を被駆動プーリに伝えるベルトとを有している。自動二輪車１は、ＣＶＴ５の変速比を制御するためのＣＶＴアクチュエータ２５を有している。ＣＶＴアクチュエータ２５は、例えば、駆動プーリを構成する２つのシーブのうち一方を動かして、変速比を制御する。また、ＣＶＴアクチュエータ２５は被駆動プーリを構成する２つのシーブのうち一方を動かして、変速比を制御してもよい。ＣＶＴ５には、ＣＶＴ５の出力軸の回転速度を検知するための出力軸回転速度センサ２６が設けられている。
【００１７】
制御装置１０は、記憶装置１０ｃと、記憶装置１０ｃに格納されたプログラムを実行するマイクロプロセッサとを含んでいる。記憶装置１０ｃには、エンジン４及びＣＶＴ５の制御に利用されるマップが格納されている。制御装置１０は、主にエンジン４の制御を担うマイクロプロセッサと、主にＣＶＴ５の制御を担うマイクロプロセッサとを含んでもよい。この場合、２つのマイクロプロセッサは予め規定されたプロトコルに従って通信し、互いが算出した情報を送受信する。センサ２１，２２，２４，２６，２７，２８，２９の出力信号は制御装置１０に入力される。制御装置１０はセンサ２１，２２，２４，２６，２７，２８，２９の出力信号に基づいてアクチュエータ２３，２５を動かし、ＣＶＴ５及びエンジン４を制御する。制御装置１０はＣＶＴアクチュエータ２５を通してＣＶＴ５の変速比を制御し、スロットルアクチュエータ２３を通してスロットル開度を制御する。
【００１８】
制御装置１０が実行する処理について説明する。図３は制御装置１０が実行する処理を示すブロック図である。同図に示すように、制御装置１０は、目標エンジン回転速度算出部１２と、目標変速比算出部１３と、基準スロットル開度算出部１４と、目標駆動力算出部１５と、目標スロットル開度算出部１６と、運転意図取得部１７とを含んでいる。各部で実行される制御部１０の処理は、車両の走行中に所定の周期で実行され、ＣＶＴ５の目標変速比と目標スロットル開度はその周期で更新される。
【００１９】
目標エンジン回転速度算出部１２は、アクセルセンサ２４で検知するアクセル操作量に基づいて、目標エンジン回転速度を算出する。ここで説明する例の目標エンジン回転速度算出部１２は、最初にアクセルセンサ２４で検知するアクセル操作量に基づいて基準目標エンジン回転速度を算出する。その後、目標エンジン回転速度算出部１２は、基準目標エンジン回転速度について補正処理を行う場合には補正後のエンジン回転速度を目標エンジン回転速度とし、基準目標エンジン回転速度について補正処理を行わない場合には基準目標エンジン回転速度を目標エンジン回転速度とする。以下では、目標エンジン回転速度算出部１２が算出するエンジン回転速度（すなわち、補正後のエンジン回転速度及び補正処理を行わない場合の基準目標エンジン回転速度）を最終目標エンジン回転速度と称する。例えば、目標エンジン回転速度算出部１２は、基準目標エンジン回転速度でエンジンを駆動するよりも燃費が良くなるように基準目標エンジン回転速度を補正し、補正後のエンジン回転速度を最終目標エンジン回転速度とする。目標変速比算出部１３は、実際のエンジン回転速度が最終目標エンジン回転速度になるように、最終目標エンジン回転速度に基づいてＣＶＴ５の変速比についての目標値である目標変速比を算出する。制御装置１０はＣＶＴ５の実際の変速比が目標変速比になるようにＣＶＴアクチュエータ２５を駆動する。
【００２０】
目標駆動力算出部１５は、アクセルセンサ２４で検知したアクセル操作量と上述の基準目標エンジン回転速度とに基づいて車両の駆動力に関する目標値を算出する。ここで、車両の駆動力に関する目標値は、例えば後輪８のトルクや後輪８の出力についての目標値である。また、車両の駆動力に関する目標値は、エンジントルクについての目標値や、エンジン出力についての目標値などでもよい。以下では、駆動力に関する目標値を目標駆動力と称する。目標スロットル開度算出部１６は、最終目標エンジン回転速度でエンジンを駆動しながら目標駆動力が得られるように、目標駆動力と最終目標エンジン回転速度とに基づいて目標スロットル開度を算出する。制御装置１０は実際のスロットル開度が目標スロットル開度になるようにスロットルアクチュエータ２３を駆動する。
【００２１】
このように、本実施形態では、従来の制御とは反対に、最初に目標エンジン回転速度が算出され、その後に目標駆動力が算出される。そのため、車両の目標駆動力が目標エンジン回転速度の設定に影響することを抑えることができる。その結果、快適な乗車感を実現できるようにエンジン回転速度を制御することが容易となる。特に本実施形態では、最初にアクセル操作量と基準目標エンジン回転速度とに基づいて目標駆動力が算出される。その後に、基準目標エンジン回転速度から得られた最終目標エンジン回転速度と、目標駆動力とに基づいて目標スロットル開度が算出される。そのため、例えば、エンジン４の回転速度を最終目標エンジン回転速度に維持しながら、車両の駆動力を調節・制御できる。例えば、エンジン４の回転速度を最終目標エンジン回転速度に維持しながら、基準目標エンジン回転速度とアクセル操作量に対応するスロットル開度とでエンジン４を駆動した場合に得られる駆動力と同じ駆動力を得ることが可能となる。また、目標駆動力について補正処理を行う場合には、エンジン４の回転速度を最終目標エンジン回転速度に維持しながら、その補正後の目標駆動力が得られるようにエンジン４を駆動することが可能となる。
【００２２】
図３に示すように、目標エンジン回転速度算出部１２は基準目標エンジン回転速度算出部１２Ａを含んでいる。基準目標エンジン回転速度算出部１２Ａは、センサーで検知したアクセル操作量と、運転意図を表す数値（以下、運転意図値と称する）とに基づいて、基準目標エンジン回転速度を算出する。具体的には次のような処理を行う。記憶装置１０ｃには、第１の運転モードでのエンジン回転速度を規定する第１の基礎情報（例えばマップ）と、第２の運転モードでのエンジン回転速度を規定する第２の基礎情報とが予め格納されている。これらの運転モードは、加速応答性の良い運転モード（加速応答性モード）や、燃費の良い運転モード（低燃費モード）、通常の運転モードなどである。２つの基礎情報のそれぞれでは、例えばエンジン回転速度とアクセル操作量とが関係づけられている。基準目標回転速度算出部１２Ａは、センサーで検知したアクセル操作量に基づいて２つの基礎情報のそれぞれからエンジン回転速度を算出する。そして、基準目標回転速度算出部１２Ａは、２つの基礎情報からそれぞれ算出された２つのエンジン回転速度の間で運転意図値に基づいて基準目標エンジン回転速度を算出する。
【００２３】
運転意図値は、車両の走行形態に対する運転者の要求を表す数値である。例えば、運転意図値は、加速応答性モードに対する運転者の要求度合いや、低燃費モードに対する運転者の要求度合いを表す数値である。後において説明するように、運転意図値は、例えば現在の車両の運転状態と過去の運転状態のうち少なくとも一方に基づいて算出される。例えば、アクセル操作量の変化速度が大きい場合や、アクセル操作量の変化の頻度が多い場合には、運転者は加速応答性の良い走行を望んでいると推定される。一般的に、エンジン回転速度が高くなると加速応答性は良くなり、エンジン回転速度が低くなると燃費が良くなる。そのため、運転者が加速応答性の良い走行を強く求めていることを運転意図値が示す場合には、制御装置１０は基準目標エンジン回転速度を高めに設定する。
【００２４】
図４は基準目標エンジン回転速度算出部１２Ａが実行する処理を示すブロック図である。同図に示すように、基準目標エンジン回転速度算出部１２Ａは、第１基礎エンジン回転速度算出部１２ａと、第２基礎エンジン回転速度算出部１２ｂと、演算部１２ｃとを含んでいる。
【００２５】
上述したように、記憶装置１０ｃにはエンジン回転速度とアクセル操作量とを関係づける第１の基礎情報と、エンジン回転速度とアクセル操作量とを関係づける第２の基礎情報とが格納されている。第１基礎エンジン回転速度算出部１２ａと第２基礎エンジン回転速度算出部１２ｂは、第１の基礎情報と第２の基礎情報をそれぞれ利用して、センサーで検知したアクセル操作量に応じたエンジン回転速度を算出する。以下では、第１の基礎情報から得られたエンジン回転速度を第１基礎エンジン回転速度とし、第２の基礎情報から得られたエンジン回転速度を第２基礎エンジン回転速度とする。演算部１２ｃは、第１基礎エンジン回転速度と、第２基礎エンジン回転速度と、運転意図値とに基づいて、基準目標エンジン回転速度を算出する。より具体的には、演算部１２ｃは、第１基礎エンジン回転速度と第２基礎エンジン回転速度との間で算出され且つ運転意図値に応じたエンジン回転速度を、基準目標エンジン回転速度として算出する。
【００２６】
第１の基礎情報で規定されるエンジン回転速度と、第２の基礎情報で規定されるエンジン回転速度は互いに異なっている。例えば、第２の基礎情報で規定されるエンジン回転速度は、第１の基礎情報で規定されるエンジン回転速度よりも良好な加速応答性を実現できる回転速度である。換言すると、第１の基礎情報で規定されるエンジン回転速度は、第２の基礎情報で規定されるエンジン回転速度よりも低燃費を実現できる回転速度である。すなわち、第２の基礎情報は加速応答性モードでのエンジン回転速度を規定し、第１の基礎情報は低燃費モードでのエンジン回転速度を規定している。一般的に、エンジン回転速度が高くなると加速応答性は良くなり、エンジン回転速度が低くなると燃費が良くなる。そのため、第２の基礎情報で規定されるエンジン回転速度は、第１の基礎情報で規定されるエンジン回転速度よりも高い。
【００２７】
２つの基礎情報のそれぞれは、例えば、エンジン回転速度とアクセル操作量とに、車速に関する情報を関係づけるマップである。ここでは、記憶装置１０ｃが、第１の基礎情報として第１エンジン回転速度マップを有し、第２の基礎情報として第２エンジン回転速度マップを有する場合を例にして説明する。
【００２８】
車速に関する情報とは、例えば、前輪２の回転速度や後輪８の回転速度から算出される車速自体である。また、車速に関する情報は、後輪８の回転速度や、ＣＶＴ５の出力軸の回転速度、最終減速機構７を構成する部材の回転速度、クラッチ６を構成する部材の回転速度など、トルク伝達経路においてＣＶＴ５の出力軸以降の部材の回転速度でもよい。すなわち、車速に関する情報は、係数や減速比を乗じることにより車速に換算され得る情報である。ＣＶＴ５の出力軸の回転速度は、クラッチ６が係合している状態では、車速に換算され得る。ここでは、第１及び第２の基礎情報として、車速と、アクセル操作量と、エンジン回転速度とが対応付けられている第１及び第２エンジン回転速度マップを用いる場合を例にして説明する。
【００２９】
図５は、基礎情報であるエンジン回転速度マップの例を示す図である。同図の（ａ）は第１エンジン回転速度マップの例であり、（ｂ）は第２エンジン回転速度マップの例である。これらの図で横軸は車速であり、縦軸はエンジン回転速度である。また、これらの図では、エンジン回転速度と車速との関係を示す複数の線が例示されている。これらの線は、アクセル操作量Ａｃ１，Ａｃ２，Ａｃ３でのエンジン回転速度と車速との関係を示している。同図の線Ｌｏｗは変速比がローに設定されている場合の車速とエンジン回転速度との関係を示し、線Ｈｉｇｈは変速比がハイ（トップ）に設定されている場合の車速とエンジン回転速度との関係を示している。
【００３０】
第２エンジン回転速度マップで規定されるエンジン回転速度は、第１エンジン回転速度マップで規定されるエンジン回転速度よりも高い。例えば、アクセル操作量がＡｃ１で、車速がＶ１である場合、第２エンジン回転速度マップで規定されるエンジン回転速度Ｎｅ２は、第１エンジン回転速度マップで規定されるエンジン回転速度Ｎｅ１よりも高い。つまり、同じアクセル操作量且つ同じ車速で２つのマップのエンジン回転速度を比較した場合、第２エンジン回転速度マップのエンジン回転速度は、第１エンジン回転速度マップのエンジン回転速度よりも高い。なお、第２エンジン回転速度マップのエンジン回転速度は、必ずしも車速の全範囲で、第１エンジン回転速度マップのエンジン回転速度よりも高くなくてもよい。例えば、中車速の領域でのみ、第２エンジン回転速度マップのエンジン回転速度は第１エンジン回転速度マップのエンジン回転速度よりも高くてもよい。
【００３１】
第１基礎エンジン回転速度算出部１２ａは第１の基礎情報である第１エンジン回転速度マップを参照し、センサーによって検知したアクセル操作量と車速とに対応するエンジン回転速度を、第１基礎エンジン回転速度として算出する。同様に、第２基礎エンジン回転速度算出部１２ｂは第２の基礎情報である第２エンジン回転速度マップを参照し、センサーによって検知したアクセル操作量と車速とに対応するエンジン回転速度を、第２基礎エンジン回転速度として算出する。
【００３２】
なお、２つの基礎情報のうち一方は、エンジン回転速度と、車速に関する情報と、アクセル操作量とを関係づけるマップではなくてもよい。例えば、第２の基礎情報は、第１基礎エンジン回転速度と第２基礎エンジン回転速度との差と、車速と、アクセル操作量とが関係づけられるマップでもよい。また、第２の基礎情報は、第１基礎エンジン回転速度と第２基礎エンジン回転速度との比と、車速と、アクセル操作量とが関係づけられるマップでもよい。この場合、第２基礎エンジン回転速度算出部１２ｂは、センサーによって検知したアクセル操作量と車速とに対応する差又は比を算出し、その後、その差又は比と、第１エンジン回転速度マップを参照して算出された第１基礎エンジン回転速度とに基づいて第２基礎エンジン回転速度を算出する。また、第２の基礎情報は、車速やアクセル操作量に依存しない、第１基礎エンジン回転速度と第２基礎エンジン回転速度との差や比であってもよい。この場合、第２基礎エンジン回転速度算出部１２ｂは、その差又は比と、第１エンジン回転速度マップを参照して算出された第１基礎エンジン回転速度とに基づいて第２基礎エンジン回転速度を算出する。
【００３３】
演算部１２ｃは、第１基礎エンジン回転速度と第２基礎エンジン回転速度との間で、運転意図取得部１７によって算出される運転意図値に応じたエンジン回転速度を算出する。このように算出されるエンジン回転速度が、上述の基準目標エンジン回転速度である。上述したように、運転意図値は、車両の走行形態に対する運転者の要求度合いを表す数値である。例えば、運転意図値が加速応答性の良い走行に対する運転者の要求度合いを表す数値である場合、演算部１２ｃは、運転意図値が高くなるに従って基準目標エンジン回転速度を第２基礎エンジン回転速度に近づける。運転意図値が燃費の良い走行に対する運転者の要求度合いを表す数値である場合、演算部１２ｃは、運転意図値が高くなるに従って基準目標エンジン回転速度を第１基礎エンジン回転速度に近づける。つまり、演算部１２ｃは、運転意図値が高くなるに従って、２つの基礎エンジン回転速度のうち一方に基準目標エンジン回転速度を近づける。
【００３４】
図６は演算部１２ｃの処理の例を説明するための図である。同図において横軸は運転意図値であり、縦軸はエンジン回転速度である。同図の線Ｌ７は、点Ｐｏ１（運転意図値Ｄｖ１，第１基礎エンジン回転速度Ｎａ）と、点Ｐｏ２（運転意図値Ｄｖ２，第２基礎エンジン回転速度Ｎｂ）とを通る直線である。運転意図値がＤｖ３（Ｄｖ１＜Ｄｖ３＜Ｄｖ２）である場合、演算部１２ｃは線Ｌ７上の点Ｐｏ３（運転意図値Ｄｖ３，エンジン回転速度Ｎｃ）のエンジン回転速度Ｎｃを基準目標エンジン回転速度として算出する（Ｎａ＜Ｎｃ＜Ｎｂ）。つまり、図６の例では、演算部１２ｃは、第１基礎エンジン回転速度Ｎａと第２基礎エンジン回転速度Ｎｂとの間で、エンジン回転速度を運転意図値によって線形補完し、運転意図取得部１７によって算出された運転意図値Ｄｖ３に対応するエンジン回転速度を基準目標エンジン回転速度としている。
【００３５】
一例では、運転意図値Ｄｖ１は、運転意図取得部１７によって算出され得る運転意図値の最小値であり、運転意図値Ｄｖ２は運転意図取得部１７によって算出され得る運転意図値の最大値である。つまり、運転意図取得部１７が運転意図値の最小値を算出する場合には、第１基礎エンジン回転速度Ｎａが基準目標エンジン回転速度として算出される。一方、運転意図取得部１７が運転意図値の最大値を算出する場合には、第２基礎エンジン回転速度Ｎｂが基準目標エンジン回転速度として算出される。
【００３６】
演算部１２ｃの処理はこれに限られない。例えば、運転意図値は運転意図値Ｄｖ１よりも低い値であってもよい。運転意図取得部１７が算出する運転意図値がＤｖ１より小さい場合、演算部１２ｃは、例えば運転意図値によらず第１基礎エンジン回転速度を基準目標エンジン回転速度とする。また、運転意図値は運転意図値Ｄｖ２よりも高い値であってもよい。運転意図取得部１７が算出する運転意図値がＤｖ２より大きい場合、演算部１２ｃは、例えば、運転意図値によらず第２基礎エンジン回転速度を基準目標エンジン回転速度とする。
【００３７】
運転意図取得部１７の処理の例について説明する。運転意図取得部１７は、センサによって検知される車両の運転状態に基づいて運転意図値を算出する。例えば、運転意図取得部１７は、アクセル操作量、車速、アクセル操作量の微分値であるアクセル操作量変化速度及び加速度から選ばれる少なくとも１以上のパラメータに基づいて運転意図値を算出する。
【００３８】
例えば、運転意図取得部１７は、アクセル操作量と車速とに基づいて第１負荷状態値を算出する。また、運転意図取得部１７は、アクセル操作量の変化速度に基づいて第２負荷状態値を算出する。さらに運転意図取得部１７は、車速と車両の加速度とに基づいて第３負荷状態値を算出する。運転意図取得部１７は、これら負荷状態値の全て或いは一部を使用して、運転意図値を算出する。各負荷状態値は、エンジン４にかかっている負荷が変化する可能性を評価する数値である。
【００３９】
例えば、エンジンにかかっている負荷が変化する可能性が高いほど、運転者が加速応答性の良い走行を要求する度合いが高いと推定される。そのため、加速応答性の良い走行に対する運転者の要求度合いを表す数値を運転状態値として用いる例においては、エンジンにかかっている負荷が変化する可能性が高いほど、運転意図取得部１７は大きな運転意図値を算出する。
【００４０】
また、例えば、エンジンにかかっている負荷が変化する可能性が低いほど、運転者が燃費の良い走行を要求する度合いが高いと推定される。そのため、燃費の良い走行に対する運転者の要求度合いを表す数値を運転状態値として用いる例においては、エンジンにかかっている負荷が変化する可能性が低いほど、運転意図取得部１７は大きな運転意図値を算出する。
【００４１】
図７（ａ）は、アクセル操作量と車速と第１負荷状態値とを対応付けるマップの例である。同図において、実線は第１負荷状態値の等高線を示している。このマップでは、負荷が変化する可能性が低いと推測される運転領域（例えば、車速とアクセル操作量の双方が中程度の領域）では、第１負荷状態値は比較的小さい。運転意図取得部１７は、例えばこのマップを参照し、センサの出力に基づいて検知されたアクセル操作量と車速とから第１負荷状態値を算出する。
【００４２】
図７（ｂ）は、アクセル操作量の変化速度と第２負荷状態値とを対応付けるマップの例である。このマップにおいても、負荷が変化する可能性が小さいと推測される運転領域、すなわちアクセル操作量の変化速度が小さい運転領域では、第２負荷状態値は比較的小さい。運転意図取得部１７はアクセル操作量の変化速度を算出し、その後、このマップを参照して、算出したアクセル操作量の変化速度に対応する第２負荷状態値を算出する。
【００４３】
図７（ｃ）は、車速と車両の加速度と第３負荷状態値とを対応付けるマップの例である。この図において、実線は第３負荷状態値の等高線を示している。このマップにおいても、負荷が変化する可能性が低いと推測される運転領域、具体的には、車速が中程度で加速度が小さい運転領域では、第３負荷状態値は小さい。運転意図取得部１７は、このマップを参照し、センサの出力に基づいて検知された車速と加速度とに対応する第３負荷状態値を算出する。
【００４４】
運転意図取得部１７は、上述の３つの負荷状態値のなかから運転意図値の算出に使用する負荷状態値を選択し、選択した負荷状態値に基づいて運転意図値を算出してもよい。例えば、運転意図取得部１７は、上述の全ての負荷状態値の符号が一致する場合には、全ての負荷状態値を使用して運転意図値を算出する。一方、３つの負荷状態値のなかにその符号が一致しないものがある場合には、運転意図取得部１７はいずれの負荷状態値も使用せず、今回の処理では運転意図値を算出しない。すなわち、運転意図取得部１７は前回の処理で得られた運転意図値を更新しない。また、運転意図取得部１７は、第１負荷状態値、第２負荷状態値及び第３負荷状態値のうち符号が一致する負荷状態値を選択し、選択した負荷状態値を使用して運転意図値を算出してもよい。
【００４５】
また、運転意図取得部１７は、選択した負荷状態値と、前回の処理で得られた運転意図値とに基づいて、運転意図値を算出してもよい。例えば、運転意図取得部１７は選択した負荷状態値の積を算出し、その積を前回の処理で得られた運転意図値に加算し、その加算の結果を新たな運転意図値としてもよい。また、運転意図取得部１７は選択した負荷状態値の和を算出し、その和を前回の処理で得られた運転意図値に加算し、その加算の結果を新たな運転意図値としてもよい。また、運転意図取得部１７は選択した負荷状態値の平均値又は中央値を算出し、その平均値又は中央値を前回の処理で得られた運転意図値に加算し、その加算の結果を新たな運転意図値としてもよい。
【００４６】
運転意図取得部１７は、車両が予め定める走行状況にある場合には、運転意図値の変化を制限する。例えば、運転意図取得部１７は、運転者による加速要求が増すと推定される走行状況においては、基準目標エンジン回転速度の低下が抑えられるように運転意図値の変化を制限する。つまり、運転意図取得部１７は、運転者による加速要求が増すと推定される走行状況においては、基準目標エンジン回転速度の第１基礎エンジン回転速度に向けた変化が抑制されるように運転意図値の変化を制限する。換言すると、基準目標エンジン回転速度として第１基礎エンジン回転速度が算出される運転意図値を第１の値とし、基準目標エンジン回転速度として第２基礎エンジン回転速度が算出される運転意図値を第２の値とした場合、運転意図取得部１７は、運転意図値の第２の値から第１の値に向けた変化を制限する。
【００４７】
制限の一例では、運転意図取得部１７は、車両が上述の走行状況を脱するまで、運転意図値を車両が当該走行状況に入った時点での値に維持する。また、制限の他の例では、運転意図取得部１７は、車両が上述の予め定める走行状況を脱するまで、運転意図値を第２の値に向けて変化させてもよい。
【００４８】
こうすることにより、運転者による加速要求が増すと推定される走行状況において、加速応答性が下がることを抑えることができる。なお、本実施形態では基準目標エンジン回転速度自体の変化が抑えられるのではなく、運転意図値の変化が抑えられる。そのため、第１基礎エンジン回転速度と第２基礎エンジン回転速度とに対する基準目標エンジン回転速度の相対的な関係（例えば、差）の変化が抑えるものの、アクセル操作量が変化する場合には第１基礎エンジン回転速度と第２基礎エンジン回転速度は変化するので、基準目標エンジン回転速度自体は変化する。
【００４９】
運転者による加速要求が増すと推定される走行状況の一例は、車両が旋回している状況である。車両が曲がり道で旋回している場合には車速が下げられ、その後、車両が直線走行を開始すると、運転者は加速要求を増し、車速が上昇する。車両が旋回しているか否かの判定次のように実行され得る。
【００５０】
自動二輪車が旋回する場合、車体が傾けられる。その結果、タイヤは、その幅方向の中心ではなく、タイヤの側部に寄った位置で地面に接触する（以下、タイヤ表面における地面に接触する部分を接地点と称する）。その結果、接地点と車軸との距離（前輪の回転半径及び後輪の回転半径）が小さくなる。前輪のタイヤの太さ（タイヤの断面の半径）と後輪のタイヤの太さ（タイヤの断面の半径）との間には差があるため、前輪の回転半径の減少率と、後輪の回転半径の減少率との間に差が生じる。具体的には、後輪のタイヤが前輪のタイヤに比べて太い場合には、後輪の回転半径の減少率は前輪の回転半径の減少率よりも大きくなる。その結果、後輪の回転速度から算出される車速は、前輪の回転速度から算出される車速はよりも高くなる。そこで、運転意図取得部１７は、前輪２の回転速度から算出される車速と、後輪８の回転速度から算出される車速との差に基づいて、車両が旋回しているか否かを判定する。例えば、後輪の回転速度から算出される車速と前輪の回転速度から算出される車速との差、或いは、２つの車速の平均に対する２つの車速の差の割合が、閾値を超えた場合に、車両が旋回していると判定する。
【００５１】
なお、車両が旋回しているか否かの判定は上述の処理に限られない。例えば、自動二輪車には、車体の左右方向への傾斜を検知するための加速度センサが設けられてもよい。この場合、運転意図取得部１７は、例えば車体が傾いており且つ車速が閾値よりも高い場合に、車両が旋回していると判定する。
【００５２】
運転者による加速要求が増すと推定される走行状況の他の例は、ブレーキ装置が作動している場合である。自動二輪車１には、例えばブレーキレバー３ｂの操作を検知するためのスイッチ２９や、前輪２又は後輪８に設けられたブレーキ装置の作動状態を検知するためのセンサが設けられる。運転意図取得部１７は、それらのスイッチやセンサの出力に基づいてブレーキ装置が作動しているか否かを判定する。
【００５３】
運転者による加速要求が増すと推定される走行状況の他の例は、車両が登坂を走行している場合である。運転意図取得部１７は、例えば車速、現在のエンジン回転速度、及び現在のスロットル開度に基づいて走行負荷を算出し、その走行負荷に基づいて車両が登坂を走行しているか否かを判定する。
【００５４】
車両の加速度をａとし、車両の重量をＭとし、エンジントルクをＴｅｇとし、エンジン４の慣性トルクをＴｉとし、ＣＶＴ５から後輪８に至る経路でのトルクの機械的な損失をＴｌｏｓｓとし、車両に作用している全走行負荷をＬｖとした場合、これらは概ね次の関係を有している。なお、全走行負荷Ｌｖは空気抵抗など水平な道を走行する場合の走行抵抗（以下、基準走行抵抗と称する）を含む。
（Ｔｅｇ−Ｔｉ）×変速比−Ｔｌｏｓｓ＝（Ｍ×ａ＋Ｌｖ）×ｋ
エンジントルクＴｅｇは、スロットル開度とエンジン回転速度とエンジントルクとの関係を示すエンジントルクマップを参照することで算出される。慣性トルクＴｉは、エンジン回転速度の変化速度と、ＣＶＴ５よりも上流側の機構（エンジン４のクランクシャフトやピストン）の慣性モーメントとを乗じた値である。変速比は、例えば現在のＣＶＴ５の実変速比であり、センサを通して検知する実エンジン回転速度と車速とから算出され得る。ｋは後輪８の半径や最終減速機構７の減速比から得られる係数である。そこで、運転意図取得部１７は、例えば、エンジン回転速度とスロットル開度とに基づいてエンジントルクＴｅｇを算出し、当該エンジントルクＴｅｇとエンジン回転速度の変化速度と車速とに基づいて、上述の関係式から全走行負荷Ｌｖを算出する。運転意図取得部１７は、空気抵抗等に起因する基準走行抵抗を全走行負荷Ｌｖから差し引いた値を走行負荷として算出する。このように算出される走行負荷は、一般的に、車両が登坂を走行している場合には正の値となる。なお、基準走行抵抗は車速が高くなるに従って大きくなる。車速と基準走行抵抗との関係は予め実験等により得られる。そこで、運転意図取得部１７は、例えば車速と基準走行抵抗とを対応づけるマップや関係式を参照し、車速に基づいて基準走行抵抗を算出する。
【００５５】
運転意図取得部１７の処理は以上説明したものに限定されない。例えば、自動二輪車１は、車両の走行形態に対する運転者の要求を受け付けるための操作部材を有してもよい。例えば自動二輪車１は、運転者が加速応答性の良い走行に対する要求度合いを入力できる操作部材を有してもよい。この場合、運転意図取得部１７は、その操作部材の操作量を検知し、当該操作量を運転意図値とする。
【００５６】
基準目標エンジン回転速度が算出された後の処理の概要について説明する。図８は処理の概要を説明するための図である。同図の横軸はエンジン回転速度であり、縦軸はエンジントルクである。同図には、エンジントルクとエンジン回転速度との関係を表すトルクカーブが描かれている。同図（ａ）ではスロットル開度がＴｈ１，Ｔｈ２でのトルクカーブが示され、同図（ｂ）ではスロットル開度がＴｈ１，Ｔｈ４，Ｔｈ６でのトルクカーブが示されている。同図（ａ）及び（ｂ）において線Ａは、燃費が最良になる運転ポイントを示す曲線（以下、最良燃費曲線）である。同図（ａ）及び（ｂ）の線Ｌ３は、運転ポイントＰ１（エンジン回転速度Ｎ１，スロットル開度Ｔｈ１）と同じエンジン出力（エンジントルク×エンジン回転速度）を得ることができる運転ポイントを示す等出力曲線である。同図（ｂ）の線Ｌ４は、運転ポイントＰ４（エンジン回転速度Ｎ１，スロットル開度Ｔｈ４）と同じエンジン出力を得ることができる運転ポイントを示す等出力曲線である。図８では、エンジン回転速度Ｎ１が基準目標エンジン回転速度であり、スロットル開度Ｔｈ１は、アクセル操作量から換算されたスロットル開度（以下、基準スロットル開度）である。
【００５７】
なお、本実施形態の制御装置１０は、目標エンジン回転速度についての補正である回転速度補正と、車両の駆動力に関する目標値についての補正である駆動力補正の一方又は双方を行う場合がある。
【００５８】
目標エンジン回転速度算出部１２は、上述したように、基準目標エンジン回転速度Ｎ１を算出する。回転速度補正を行う場合、目標エンジン回転速度算出部１２は、基準目標エンジン回転速度Ｎ１を補正し、その補正の結果を最終目標エンジン回転速度とする。目標エンジン回転速度算出部１２は、例えば、基準目標エンジン回転速度でエンジン４を駆動するよりも燃費が向上するように、基準目標エンジン回転速度に基づいて最終目標エンジン回転速度を算出する。例えば図８（ａ）で示すように、目標エンジン回転速度算出部１２は基準目標エンジン回転速度Ｎ１と最良燃費エンジン回転速度Ｎ３との間のエンジン回転速度Ｎ２を最終目標エンジン回転速度Ｎ２として設定したり、最終目標エンジン回転速度を基準目標エンジン回転速度Ｎ１から最良燃費エンジン回転速度Ｎ３に向けて徐々に変化させる。また、目標エンジン回転速度算出部１２は、基準目標エンジン回転速度Ｎ１から所定の回転速度を減算し、その減算結果を最終目標エンジン回転速度としてもよい。目標変速比算出部１３は、最終目標エンジン回転速度に基づいてＣＶＴ５の目標変速比を算出し、制御装置１０は実際の変速比が目標変速比に一致するようにＣＶＴアクチュエータ２５を駆動する。
【００５９】
上述したように、図８（ａ）で示す運転ポイントＰ１のエンジン回転速度は基準目標エンジン回転速度Ｎ１である。また、運転ポイントＰ１のスロットル開度Ｔｈ１はアクセル操作量をスロットルバルブの角度に換算した値である。制御装置１０は、回転速度補正を行う一方で駆動力補正を行わない場合、最終目標エンジン回転速度Ｎ２でエンジン４を駆動しながら運転ポイントＰ１でのエンジン出力（線Ｌ３で示される出力）が得られるように目標スロットル開度を設定する。したがって、この場合、運転ポイントＰ２のスロットル開度Ｔｈ２が目標スロットル開度として設定される。運転ポイントＰ２は、運転ポイントＰ１と等しいエンジン出力を得ることができ、且つエンジン回転速度が最終目標エンジン回転速度Ｎ２となる運転ポイントである。制御装置１０は、実際のスロットル開度が目標スロットル開度に一致するようにスロットルアクチュエータ２３を駆動する。
【００６０】
制御装置１０は、目標スロットル開度を算出するために次のような処理を行う。目標駆動力算出部１５は、基準目標エンジン回転速度Ｎ１とアクセル操作量（具体的にはアクセル操作量から換算されたスロットル開度Ｔｈ１）とに基づいて運転ポイントＰ１での車両の駆動力を算出し、当該駆動力を基準目標駆動力とする。目標スロットル開度算出部１６は、最終目標エンジン回転速度Ｎ２でエンジン４を駆動しながら基準目標駆動力に対応する駆動力が得られるように、最終目標エンジン回転速度Ｎ２と基準目標駆動力とに基づいて目標スロットル開度Ｔｈ２を算出する。ここで、基準目標駆動力とは、上述の目標駆動力（例えば、後輪８のトルクについての目標値や、後輪８の出力（後輪８のトルク×後輪８の回転速度）についての目標値）の元となる目標値である。すなわち、後述する駆動力についての補正処理が行われる場合には、基準目標駆動力を補正した値が目標駆動力であり、そのような補正処理が行われない場合には、その基準目標駆動力が目標駆動力とされる。後輪８のトルクや後輪８の出力はエンジン出力に比例する。そのため、図８（ａ）に示すように、運転ポイントＰ１での後輪８のトルクや後輪８の出力を目標値とすることで、運転ポイントＰ１でのエンジン出力を維持しながらエンジン回転速度を変えることができる。
【００６１】
目標エンジン回転速度算出部１２は、回転速度補正を行わない場合、基準目標エンジン回転速度Ｎ１を最終目標エンジン回転速度とする。制御装置１０は、回転速度補正を行わず、駆動力補正を行う場合、最終目標エンジン回転速度Ｎ１でエンジン４を駆動しながら運転ポイントＰ１でのエンジン出力よりも高いエンジン出力又は低いエンジン出力が得られるように、目標スロットル開度を設定する。例えば、図８（ｂ）で示すように、制御装置１０は、最終目標エンジン回転速度Ｎ１でエンジン４を駆動しながら線Ｌ３で示すエンジン出力よりも高い線Ｌ４で示されるエンジン出力が得られるように、運転ポイントＰ４でのスロットル開度Ｔｈ４を目標スロットル開度とする。運転ポイントＰ４は、エンジン回転速度がＮ１である線Ｌ４上の運転ポイントである。
【００６２】
制御装置１０は、駆動力補正を行う場合には、目標スロットル開度を算出するために次のような処理を行う。目標駆動力算出部１５は、基準目標エンジン回転速度Ｎ１とアクセル操作量（具体的にはアクセル操作量から換算されたスロットル開度Ｔｈ１）とに基づいて運転ポイントＰ１での車両の駆動力を算出し、当該駆動力を基準目標駆動力とする。その後、目標駆動力算出部１５は算出した基準目標駆動力を補正し、補正後の駆動力を目標駆動力とする。目標スロットル開度算出部１６は、目標エンジン回転速度Ｎ１（回転速度補正を行わない場合、基準目標エンジン回転速度に等しい）でエンジン４を駆動しながら目標駆動力に対応する駆動力が得られるように、目標エンジン回転速度Ｎ１と目標駆動力とに基づいて目標スロットル開度Ｔｈ４を算出する。
【００６３】
回転速度補正と駆動力補正は、予め定めた条件が満たされた場合に実行される。例えば、これら２つの補正の選択を可能とする操作部材が設けられた自動二輪車では、運転者はその操作部材を通して２つの補正のうち一方又は双方を選択する。制御装置１０は、操作に応じた補正を実行する。また、車両が登坂を走行していると検知された場合に、目標駆動力算出部１５は駆動力補正を実行してもよい。また、車両の定常走行が一定時間以上継続した場合に、目標エンジン回転速度算出部１２は回転速度補正を実行してもよい。
【００６４】
なお、制御装置１０は回転速度補正と駆動力補正の双方を同時に行うことができる。この場合、目標エンジン回転速度算出部１２は、基準目標エンジン回転速度Ｎ１でエンジン４を駆動するよりも燃費が良くなるように最終目標エンジン回転速度を設定し、目標スロットル開度算出部１６は最終目標エンジン回転速度でエンジン４を駆動しながら運転ポイントＰ１でのエンジン出力よりも高い又は低いエンジン出力が得られるように目標スロットル開度を設定する。例えば、制御装置１０は、線Ｌ４で示すエンジン出力を得ようとする場合、目標エンジン回転速度算出部１２は線Ｌ４で示すエンジン出力の最良燃費エンジン回転速度Ｎ５と基準目標エンジン回転速度Ｎ１との間で最終目標エンジン回転速度Ｎ６を設定する。そして、目標スロットル開度算出部１６は最終目標エンジン回転速度Ｎ６でエンジン４を駆動しながら線Ｌ４で示すエンジン出力が得られるように、運転ポイントＰ６でのスロットル開度Ｔｈ６を目標スロットル開度とする。最良燃費エンジン回転速度Ｎ５は、線Ｌ４と最良燃費曲線Ａとの交点である運転ポイントＰ５でのエンジン回転速度である。また、運転ポイントＰ６は、エンジン回転速度がＮ６である線Ｌ４上の運転ポイントである。
【００６５】
回転速度補正と駆動力補正の双方を行わない場合、目標エンジン回転速度算出部１２は基準目標エンジン回転速度Ｎ１を最終目標エンジン回転速度とし、目標スロットル開度算出部１６は運転ポイントＰ１でのエンジン出力が得られるように目標スロットル開度を設定する。したがって、この場合、運転ポイントＰ１でスロットル開度Ｔｈ１が目標スロットル開度とされる。
【００６６】
以下、目標エンジン回転速度算出部１２と目標駆動力算出部１５と目標スロットル開度算出部１６の処理について詳説する。
【００６７】
目標エンジン回転速度算出部１２は図３に示すように補正部１２Ｂを含んでいる。補正部１２Ｂは基準目標エンジン回転速度に基づいて最終目標エンジン回転速度を算出する。具体的には、図８を参照して説明したように、補正部１２Ｂは回転速度補正を実行しない場合には、基準目標エンジン回転速度を最終目標エンジン回転速度とする。一方、回転速度補正を実行する場合には、補正部１２Ｂは基準目標エンジン回転速度でエンジンを駆動するよりも燃費を向上できるように、基準目標エンジン回転速度を最良燃費エンジン回転速度を利用して補正し、その補正の結果を最終目標エンジン回転速度とする。
【００６８】
回転速度補正には種々の形態がある。例えば、補正部１２Ｂは最終目標エンジン回転速度を基準目標エンジン回転速度から最良燃費エンジン回転速度に徐々に近づける。例えば、最終目標エンジン回転速度と基準目標エンジン回転速度との差を補正量ΔＮとした場合（最終目標エンジン回転速度＝基準目標エンジン回転速度＋補正量ΔＮ）、最終目標エンジン回転速度が徐々に最良燃費エンジン回転速度に近づくように補正量を緩やかに変化させる。
【００６９】
補正量の緩やかな変化は、例えば、前回の処理で算出された補正量に予め定めた値を加算又は減算するという処理を繰り返し実行することで可能となる。他の例では、補正部１２Ｂは、基準目標エンジン回転速度と最良燃費エンジン回転速度との差を時間で積分し、その積分値に基づいて補正量を算出してもよい。さらに他の例では、補正量の算出に、時定数の大きな伝達関数で表されるフィルタが利用されてもよい。この場合でも、補正量の緩やかな変化が実現され得る。このように、補正量を緩やかに変化させることにより、例えばアクセル操作量の変化に起因して基準目標エンジン回転速度が変化した場合でも、補正量の変化は小さいので、基準目標エンジン回転速度の変化に応じた量だけ最終目標エンジン回転速度も変化する。
【００７０】
目標変速比算出部１３は、実際のエンジン回転速度が最終目標エンジン回転速度になるように目標変速比を算出する。すなわち、目標変速比算出部１３は、最終目標エンジン回転速度とＣＶＴ５より下流側の機構の回転速度とに基づいて目標変速比を算出する。この例の目標変速比算出部１３は、最終目標エンジン回転速度と、センサによって検知した車速とに基づいて目標変速比を算出する。例えば、目標変速比算出部１３は、最終目標エンジン回転速度を車速で除した値と、最終減速機構７の減速比とに基づいて目標変速比を算出する。このようにして算出された変速比が、ＣＶＴ５の変速比の上限又は下限を越える場合には、目標変速比算出部１３はその上限または下限を目標変速比とする。
【００７１】
上述したように、制御装置１０は基準スロットル開度算出部１４と目標駆動力算出部１５とを有している（図３参照）。基準スロットル開度算出部１４は、センサによって検知したアクセル操作量を、記憶装置１０ｃに予め格納されたマップや関係式を利用して、スロットル開度（スロットルバルブの角度）に換算し、その結果を基準スロットル開度とする。
【００７２】
目標駆動力算出部１５は、アクセル操作量（より具体的には基準スロットル開度）に基づいて車両の駆動力に関する目標値、すなわち上述の目標駆動力を算出する。ここで説明する例において、目標駆動力は、例えば、後輪８のトルクや、後輪８の出力（トルク×後輪８の回転速度）である。図３に示すように、目標駆動力算出部１５は、基準目標駆動力算出部１５Ａと、補正部１５Ｂとを含んでいる。
【００７３】
基準目標駆動力算出部１５Ａは基準スロットル開度と上述の基礎情報で得られたエンジン回転速度とに基づいて基準目標駆動力を算出する。基準目標駆動力は、後述する補正部１５Ｂに入力される目標値である。基準目標駆動力算出部１５Ａは例えば、基準スロットル開度と、第１基礎情報及び第２基礎情報とを参照して得られた基準目標エンジン回転速度とに基づいて、基準目標駆動力を算出する。この処理は、例えば次のように実行される。
【００７４】
一例では、エンジン回転速度とスロットル開度とエンジントルクとを対応づけるエンジントルクマップが予め記憶装置１０ｃに格納される。基準目標駆動力算出部１５Ａはこのエンジントルクマップから、基準目標エンジン回転速度と基準スロットル開度とに対応するエンジントルクを算出する（このエンジントルクを基準目標エンジントルクと称する）。他の例では、基準目標駆動力算出部１５Ａは、エンジントルクマップに替えて、エンジン回転速度とスロットル開度とエンジン出力とを対応づけるマップを利用し、このマップから基準目標エンジン回転速度と基準スロットル開度とに対応するエンジン出力を算出してもよい（このエンジン出力を基準目標エンジン出力と称する）。
【００７５】
基準目標駆動力算出部１５Ａは、算出した基準目標エンジントルク又は基準目標エンジン出力を後輪８のトルク又は後輪８の出力に換算し、その結果を基準目標駆動力とする。例えば、後輪８のトルクについての目標値を目標駆動力とする場合、基準目標駆動力算出部１５Ａは、基準目標エンジン回転速度の変化速度に基づいてエンジン４の慣性トルクを算出する。そして、この慣性トルクを基準エンジントルクから差し引き（基準エンジントルク−慣性トルク）、その減算の結果を基準目標駆動力とする。また、後輪８の出力についての目標値を目標駆動力とする場合、基準目標駆動力算出部１５Ａは、慣性トルクに起因する出力の変化量を基準エンジン出力から差し引き（基準エンジン出力−慣性トルクに起因する出力の変化量）、その減算の結果を基準目標駆動力とする。なお、慣性トルク又は慣性トルクに起因する出力の変化量の減算は必ずしも行われなくてもよい。
【００７６】
さらに、基準目標駆動力算出部１５Ａは、エンジン４のトルクが後輪８に伝達される過程でＣＶＴ５で失うトルク又はそのトルクに起因する出力の損失を差し引いてもよい。そして、その減算の結果を基準目標駆動力としてもよい。なお、ＣＶＴ５で失うトルクは、例えばベルトを回転させるために失うトルクに起因し、ＣＶＴ５の出力軸の回転速度及びエンジントルクに基づいて算出され得る。
【００７７】
基準目標駆動力の算出は、以上説明したものに限られない。例えば、基準目標駆動力は、基準目標エンジン回転速度に替えて、第１基礎エンジン回転速度又は第２基礎エンジン回転速度に基づいて算出されてもよい。例えば、基準目標駆動力算出部１５Ａは、エンジントルクマップを参照し、第１基礎エンジン回転速度と基準スロットル開度とに対応するエンジントルクを基準エンジントルクとして算出し、当該基準エンジントルクから基準目標駆動力を算出してもよい。
【００７８】
補正部１５Ｂは、駆動力補正を実行しない場合、基準目標駆動力を目標駆動力とする。一方、駆動力補正を実行する場合、補正部１５Ｂは、基準目標駆動力を補正した値を目標駆動力とする。具体的には、補正部１５Ｂは、基準目標駆動力に補正値を加算及び／又は乗算し、その演算結果を目標駆動力とする。
【００７９】
補正の一例では、補正部１５Ｂは、車両が登坂を走行する場合に車両に作用する走行負荷を算出し、その走行負荷に応じた補正値を基準目標駆動力に加算又は乗算する。走行負荷は、運転意図取得部１７の処理に関連して説明したように、例えば、エンジン回転速度とスロットル開度とに基づいて算出されるエンジントルクと、エンジン回転速度の変化速度と、車速とに基づいて算出され得る。
【００８０】
補正の他の例では、補正部１５Ｂは、基準目標駆動力が上昇する場合、すなわち車両が加速しようとする場合に、基準目標駆動力よりも目標駆動力を大きくしたり、基準目標駆動力の上昇速度よりも目標駆動力の上昇速度を緩やかにする。また、補正部１５Ｂは、基準目標駆動力が上昇しその後に下がる場合に、基準目標駆動力の下降速度よりも目標駆動力の下降速度を緩やかにしてもよい。このような目標駆動力の変化は、例えば、比例要素や一次遅れ要素を含む伝達関数で表されるフィルタを基準目標駆動力に対して利用することで実現できる。このような補正を行うことにより、車両の加速感を向上できる。
【００８１】
目標スロットル開度算出部１６は最終目標エンジン回転速度でエンジン４を駆動しながら車両の駆動力が目標駆動力となるように、目標駆動力と最終目標エンジン回転速度とに基づいて目標スロットル開度を算出する。図３に示す例の目標スロットル開度算出部１６は目標エンジントルク算出部１６Ａと、スロットル開度算出部１６Ｂとを含んでいる。目標エンジントルク算出部１６Ａは最終目標エンジン回転速度を利用して、後輪８のトルクや出力についての目標値である目標駆動力を、目標とするエンジントルク（すなわち、目標エンジントルク）に換算する。スロットル開度算出部１６Ｂは、目標エンジントルクと最終目標エンジン回転速度とに基づいて目標スロットル開度を算出する。
【００８２】
目標エンジントルク算出部１６Ａは、例えば、最終目標エンジン回転速度の変化速度に基づいてエンジン４の慣性トルクを算出し、この慣性トルクと、ＣＶＴ５で失うトルクと、最終目標エンジン回転速度とに基づいて、目標駆動力を目標エンジントルクに換算する。具体的には、目標駆動力が後輪８のトルクについての目標値である場合、目標エンジントルク算出部１６Ａは、基準目標駆動力算出部１５Ａとは反対に、慣性トルクとＣＶＴ５で失うトルクとを目標駆動力に加え、その結果を目標エンジントルクとする。目標駆動力が後輪８の出力についての目標値である場合、目標エンジントルク算出部１６Ａは、基準目標駆動力算出部１５Ａとは反対に、例えば慣性トルクに起因する出力の変化量とＣＶＴ５で失うトルクに起因する出力の損失とを目標駆動力に加え、その加算の結果（目標となるエンジン出力）と最終目標エンジン回転速度とに基づいて目標エンジントルクを算出する。
【００８３】
スロットル開度算出部１６Ｂは目標エンジントルクに基づいて目標スロットル開度を算出する。具体的には、スロットル開度算出部１６Ｂは、エンジントルクとスロットル開度とエンジン回転速度とを対応づけるマップを参照し、目標エンジントルクと最終目標エンジン回転速度とに対応するスロットル開度を算出し、このスロットル開度を目標スロットル開度とする。
【００８４】
目標スロットル開度算出部１６の処理は、以上説明したものに限られない。例えば、目標スロットル開度算出部１６は、目標駆動力に基づいて目標とするエンジン出力を算出し、スロットル開度算出部１６Ｂは、目標エンジン出力に基づいて、目標スロットル開度を算出してもよい。この場合、記憶装置１０ｃには、エンジン出力とスロットル開度とエンジン回転速度とを対応づけるマップが格納される。そして、スロットル開度算出部１６Ｂは、このマップを参照し、目標エンジン出力と目標エンジン回転速度とに基づいて、目標スロットル開度を算出する。
【００８５】
上述したように、目標エンジン回転速度算出部１２は、回転速度補正を行う場合、最良燃費エンジン回転速度を算出し、最良燃費エンジン回転速度と基準目標エンジン回転速度とに基づいて最終目標エンジン回転速度を設定している。回転速度補正を行う場合、最良燃費エンジン回転速度の算出は、例えば、目標駆動力算出部１５が算出した目標駆動力を利用して行われる。例えば、後輪８の出力と最良燃費エンジン回転速度との関係（すなわち最良燃費曲線を規定するマップ）が記憶装置１０ｃに格納される。目標駆動力が後輪８の出力についての目標値である場合には、目標エンジン回転速度算出部１２は、このマップを参照し、目標駆動力算出部１５が算出した目標駆動力に対応する最良燃費エンジン回転速度を算出する。また、目標駆動力が後輪８のトルクについての目標値である場合には、目標エンジン回転速度算出部１２は、例えば、目標駆動力に後輪８の回転速度を乗じ、最良燃費曲線を規定するマップにおいてその乗算結果に対応する最良燃費エンジン回転速度を算出する。
【００８６】
以上説明した制御装置１０では、第１基礎エンジン回転速度算出部１２ａは、第１の運転モード（例えば、上述の低燃費モード）でのエンジン回転速度を規定する第１の基礎情報から第１のエンジン回転速度を算出している。第２基礎エンジン回転速度算出部１２ｂは、第２の運転モード（例えば、上述の加速応答性モード）でのエンジン回転速度を規定する第２の基礎情報から第２のエンジン回転速度を算出している。運転意図取得部１７は運転者の運転意図を表す数値である運転意図値を取得し、目標エンジン回転速度算出部１２は、第１のエンジン回転速度と第２のエンジン回転速度との間で算出され且つ運転意図値に応じたエンジン回転速度（以上の説明では、基準目標エンジン回転速度）に基づいて、目標エンジン回転速度（以上の説明では、最終目標エンジン回転速度）を算出している。目標変速比算出部１３は、最終目標エンジン回転速度に基づいてＣＶＴ５の目標変速比を算出し、スロットル開度算出部１６Ｂは、センサーによって検知したアクセル操作量に基づいて算出された目標駆動力と最終目標エンジン回転速度とに基づいて目標スロットル開度を算出している。
【００８７】
制御装置１０によれば、従来の制御とは反対に、最初に目標エンジン回転速度が算出され、その後に駆動力に関する目標値が算出される。そのため、車両の駆動力に関する目標値が目標エンジン回転速度の設定に影響することを抑えることができる。その結果、快適な乗車感を得ることができるようにエンジン回転速度を制御することが容易となる。また、目標エンジン回転速度の算出に運転意図値を利用するので、運転者の運転意図に適合したエンジン回転速度を実現できる。例えば、第２の基礎情報で規定されるエンジン回転速度は、上述したように、第１の基礎情報で規定されるエンジン回転速度よりも良好な加速応答性を実現できる回転速度である。このような例において、運転者が加速応答性の良い走行を望んでいる場合には、目標エンジン回転速度（具体的には、基準目標エンジン回転速度）を第２の基礎情報から得られる第２のエンジン回転速度に近い回転速度に設定することが可能となる。
【００８８】
なお、本発明は以上説明した制御装置１０に限られず、種々の変更が可能である。
【００８９】
例えば、制御装置１０では、車両が旋回している状況では運転意図値の変化が制限されている。しかしながら、運転意図値の変化の制限は必ずしも実行されなくてもよい。
【００９０】
また、制御装置１０は、回転速度補正と駆動力補正の双方を行うことが可能であった。しかしながら、制御装置１０は、回転速度補正と駆動力補正の一方のみが可能であってもよい。また、制御装置１０は、このような回転速度補正と駆動力補正の双方を行えなくてもよい。すなわち、目標駆動力算出部１５は必ずしも補正部１５Ｂを含んでいなくてもよい。また、目標エンジン回転速度算出部１２は必ずしも補正部１２Ｂを含んでいなくてもよい。
【００９１】
また、以上の説明では、目標駆動力と基準目標駆動力は、目標とする後輪８の出力又は後輪８のトルクであった。しかしながら、これらは、目標とするエンジン出力であってもよいし、車両の加速度でもよい。
【００９２】
また、以上の説明では、補正部１２Ｂが出力する目標エンジン回転速度を最終目標エンジン回転速度と称していたが、最終目標エンジン回転速度がさらに補正され、その補正後の目標エンジン回転速度に基づいて、目標変速比等が算出されてもよい。
【図１】
2014142210.tif 000003
【図２】
2014142210.tif 000004
【図３】
2014142210.tif 000005
【図４】
2014142210.tif 000006
【図５】
2014142210.tif 000007
【図６】
2014142210.tif 000008
【図７】
2014142210.tif 000009
【図８】
2014142210.tif 000010
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
無段変速機の変速比とスロットル開度とをアクチュエータを利用して電子制御する車両の制御装置であって、
車両の第１の運転モードでのエンジン回転速度を規定する第１の基礎情報と、車両の第２の運転モードでのエンジン回転速度を規定する第２の基礎情報とが予め格納されており、前記第１の基礎情報及び前記第２の基礎情報のうちの少なくとも一方として、エンジン回転速度と、アクセル操作量と、車速に関する情報とを関係づけるマップが格納されている記憶装置と、
センサーによって検知されたアクセル操作量と車速に関する情報とに基づいて、前記第１の基礎情報から得られるエンジン回転速度を第１のエンジン回転速度として算出する第１の基礎エンジン回転速度算出部と、
前記センサーによって検知されたアクセル操作量と前記車速に関する情報とに基づいて、前記第２の基礎情報から得られるエンジン回転速度を第２のエンジン回転速度として算出する第２の基礎エンジン回転速度算出部と、
運転者の運転意図を表す数値である運転意図値を取得する運転意図取得部と、
前記第１のエンジン回転速度と前記第２のエンジン回転速度との間で算出され且つ前記運転意図値に応じたエンジン回転速度に基づいて、目標エンジン回転速度を算出する目標エンジン回転速度算出部と、
前記目標エンジン回転速度に基づいて前記無段変速機の目標変速比を算出する目標変速比算出部と、
前記センサーによって検知されたアクセル操作量と前記目標エンジン回転速度とに基づいて、車両の駆動力に関する目標値を算出する目標駆動力算出部と、
前記目標値に対応する駆動力が得られるように前記目標値と前記目標エンジン回転速度とに基づいて目標スロットル開度を算出する目標スロットル開度算出部と、
を備えることを特徴とする制御装置。
【請求項２】
請求項１に記載の制御装置において、
前記運転意図取得部は、車両の運転状態に基づいて前記運転意図値を算出する、
ことを特徴とする制御装置。
【請求項３】
請求項１又は２に記載の制御装置において、
前記目標エンジン回転速度算出部は、前記運転意図値に応じた前記エンジン回転速度を補正し、その補正後のエンジン回転速度を前記目標エンジン回転速度として算出する、
ことを特徴とする制御装置。
【請求項４】
請求項１に記載の制御装置において、
前記第１の基礎情報はアクセル操作量と第１の運転モードにおけるエンジン回転速度とを対応付けており、
前記第２の基礎情報はアクセル操作量と第２の運転モードにおけるエンジン回転速度とを対応付けており、
前記第１の基礎エンジン回転速度算出部は前記第１の基礎情報を参照し、前記センサーによって検知したアクセル操作量に基づいて前記第１のエンジン回転速度を算出し、
前記第２の基礎エンジン回転速度算出部は前記第２の基礎情報を参照し、前記センサーによって検知したアクセル操作量から前記第２のエンジン回転速度を算出する、
ことを特徴とする制御装置。
【請求項５】
請求項１乃至４のいずれかに記載の制御装置において、
前記運転意図取得部は、車両が予め定める走行状況にある場合に、前記運転意図値の変化を制限する、
ことを特徴とする制御装置。
【請求項６】
請求項５に記載の制御装置において、
前記予め定める走行状況は運転者による加速要求が増すと推定される走行状況であり、
前記運転意図取得部は、運転者による加速要求が増すと推定される走行状況では、前記運転意図値に応じた前記エンジン回転速度が下がる方向への変化が抑えられるように前記運転意図値の変化を制限する、
ことを特徴とする制御装置。
【請求項７】
請求項５又は６に記載の制御装置において、
前記予め定める走行状況は、車両がカーブを走行している場合、ブレーキ装置が作動している場合、又は車両が登坂を走行している場合である、
ことを特徴とする制御装置。
【請求項８】
請求項１乃至７のいずれかに記載の制御装置を備える自動二輪車。
【国際調査報告】
2014142210.tif 000011
2014142210.tif 000012
2014142210.tif 000013
2014142210.tif 000014